(57)【特許請求の範囲】
【請求項１】
眼圧変化をモニタリングするシステムであって、
コンタクトレンズと、検出装置を含み、
前記コンタクトレンズが、第１材料層と、第１パターンと、第２材料層と、第２パターンを含み、
前記第１材料層が、中央区域と、前記中央区域周囲の環状区域を有し、
前記コンタクトレンズが眼球表面上に配置されたとき、前記中央区域が眼球の瞳孔に対応し、前記環状区域が眼球の虹彩に対応し、
前記第１パターンが、前記環状区域内に形成され、間隔をあけて配置された複数の第１サブパターンにより構成され、
前記第２材料層が、前記第１材料層上に配置され、
前記第２パターンが、前記第２材料層上に形成され、間隔をあけて配置された複数の第２サブパターンにより構成され、前記第１パターンと重ねられて干渉縞を形成し、
前記検出装置が、画像キャプチャユニットと、処理ユニットを含み、
前記画像キャプチャユニットが、干渉縞の画像を連続的にキャプチャし、それぞれが干渉縞に対応するモアレ画像区域を有する複数の画像を取得するように構成され、前記各画像がさらに、虹彩画像区域を有し、
前記処理ユニットが、前記画像キャプチャユニットに接続され、取得された画像に基づき干渉縞に対応するモアレ画像区域の周期の変化を分析し、その変化に基づいて眼圧変化を評価するように構成され、
前記処理ユニットが、前記各画像内の干渉縞に対応するモアレ画像区域の現在の周期を演算し、前記現在の周期に基づき周期変化データを計算して周期の変化の変化を分析し、前記各画像の演算工程が、
前記虹彩画像区域の中心を見つける工程と、
前記虹彩画像区域の中心を通過する複数の候補軸と、前記各候補軸に関して対称である分析ウィンドウを配置し、そのうち前記各分析ウィンドウが対応する候補軸によってそれぞれ２つの部分に分割される工程と、
前記各分析ウィンドウの２つの部分内の画像情報の差異を計算する工程と、
計算で得られた差異のうち最小差異を見つける工程と、
前記最小差異に対応する前記候補軸を分析線に設定する工程と、
前記分析線に沿って干渉縞に対応する前記モアレ画像区域の現在の周期を計算する工程と、を含むことを特徴とする、
眼圧変化をモニタリングするシステム。
【請求項２】
前記検出装置がさらに、使用者が装着するように構成された担体を含み、そのうち、前記画像キャプチャユニットと前記処理ユニットが、前記担体上に配置されたことを特徴とする、請求項１に記載の眼圧変化をモニタリングするシステム。
【請求項３】
前記干渉縞が、前記第１パターンと前記第２パターンを重ね合わせた模様、または前記第２パターンを通過して成像された前記第１パターンの画像であることを特徴とする、請求項１に記載の眼圧変化をモニタリングするシステム。
【請求項４】
眼圧変化をモニタリングするシステムであって、
コンタクトレンズと、検出装置を含み、
前記コンタクトレンズが、第１材料層と、第１パターンを含み、
前記第１材料層が、中央区域と、前記中央区域周囲の環状区域を有し、
前記コンタクトレンズが眼球表面上に配置されたとき、前記中央区域が眼球の瞳孔に対応し、前記環状区域が眼球の虹彩に対応し、
前記第１パターンが、前記環状区域内に形成され、間隔をあけて配置された複数の第１サブパターンにより構成され、
前記検出装置が、投影ユニットと、画像キャプチャユニットと、処理ユニットを含み、
前記投影ユニットが、前記コンタクトレンズに第２パターンを投影し、前記第２パターンを前記第１パターンに重ねて干渉縞を形成するように構成され、
前記第２パターンが間隔をあけて配置された複数の第２サブパターンにより構成され、
前記画像キャプチャユニットが、干渉縞の画像を連続的にキャプチャし、それぞれが干渉縞に対応するモアレ画像区域を有する複数の画像を取得するように構成され、前記各画像がさらに、虹彩画像区域を有し、
前記処理ユニットが、前記投影ユニットと前記画像キャプチャユニットに接続され、取得された画像に基づき干渉縞に対応するモアレ画像区域の周期の変化を分析し、その変化に基づいて眼圧変化を評価するように構成され、
前記処理ユニットが、前記各画像内の干渉縞に対応するモアレ画像区域の現在の周期を演算し、前記現在の周期に基づき周期変化データを計算して周期の変化の変化を分析し、前記各画像の演算工程が、
前記虹彩画像区域の中心を見つける工程と、
前記虹彩画像区域の中心を通過する複数の候補軸と、前記各候補軸に関して対称である分析ウィンドウを配置し、そのうち前記各分析ウィンドウが対応する候補軸によってそれぞれ２つの部分に分割される工程と、
前記各分析ウィンドウの２つの部分内の画像情報の差異を計算する工程と、
計算で得られた差異のうち最小差異を見つける工程と、
前記最小差異に対応する前記候補軸を分析線に設定する工程と、
前記分析線に沿って干渉縞に対応する前記モアレ画像区域の現在の周期を計算する工程と、を含むことを特徴とする、
眼圧変化をモニタリングするシステム。
【請求項５】
前記検出装置がさらに、使用者が装着するように構成された担体を含み、そのうち、前記画像キャプチャユニットと前記処理ユニットが、前記担体上に配置されたことを特徴とする、請求項４に記載の眼圧変化をモニタリングするシステム。
【請求項６】
前記干渉縞が、前記第１パターンと前記第２パターンを重ね合わせた模様、または前記第２パターンを通過して成像された前記第１パターンの画像であることを特徴とする、請求項４に記載の眼圧変化をモニタリングするシステム。
【請求項７】
コンタクトレンズの干渉縞の変化を分析する方法であって、
コンタクトレンズ上の干渉縞に対応する複数の画像を受け取り、そのうち、前記画像が前記コンタクトレンズから連続的に取得され、前記各画像が干渉縞に対応するモアレ画像区域と、虹彩画像区域を有する工程と、
前記各画像内の干渉縞に対応する前記モアレ画像区域の現在の周期を演算する工程であって、そのうち、前記各画像の演算工程が、
前記虹彩画像区域の中心を見つける工程と、
前記虹彩画像区域の中心を通過する複数の候補軸と、前記各候補軸に関して対称である分析ウィンドウを配置し、そのうち前記各分析ウィンドウが対応する候補軸によってそれぞれ２つの部分に分割される工程と、
前記各分析ウィンドウの２つの部分内の画像情報の差異を計算する工程と、
計算で得られた差異のうち最小差異を見つける工程と、
前記最小差異に対応する前記候補軸を分析線に設定する工程と、
前記分析線に沿って干渉縞に対応する前記モアレ画像区域の現在の周期を計算する工程と、を含み、
前記現在の周期に基づき周期変化データを計算する工程と、
前記周期変化データに基づき眼圧変化を評価する工程と、を含むことを特徴とする、
コンタクトレンズの干渉縞の変化を分析する方法。
【請求項８】
前記候補軸と分析ウィンドウの配置工程がさらに、前記虹彩画像区域の中心を通過するように前記候補軸の１つを形成する工程と、前記分析ウィンドウの１つを前記形成された候補軸に関して対称であるように形成する工程と、前記形成された分析ウィンドウと前記形成された候補軸の組み合わせを、前記画像に関して前記虹彩画像区域の中心周囲を複数回連続して回転させ、前記分析ウィンドウの残りと前記候補軸の残りを取得する工程と、を含み、そのうち、合計回転角度が０度から１８０度であることを特徴とする、請求項７に記載のコンタクトレンズの干渉縞の変化を分析する方法。
【請求項９】
前記コンタクトレンズが、第１材料層と第１パターンを有し、前記第１材料層が中央区域と、前記中央区域周囲の環状区域を有し、前記第１パターンが前記環状区域内に形成され、前記コンタクトレンズが眼球表面上に配置されたとき、前記中央区域が眼球の瞳孔に対応し、前記環状区域が眼球の虹彩に対応し、前記方法がさらに、投影ユニットにより第２パターンを前記第１材料層上に投影する工程を含み、そのうち、前記第２パターンが前記第１パターンに重なり、干渉縞が形成されることを特徴とする、請求項７に記載のコンタクトレンズの干渉縞の変化を分析する方法。
【請求項１０】
前記コンタクトレンズが、第１材料層と、第１パターンと、第２材料層と、第２パターンを含み、前記第１材料層が、中央区域と、前記中央区域周囲の環状区域を有し、そのうち、前記コンタクトレンズが眼球表面上に配置されたとき、前記中央区域が眼球の瞳孔に対応し、前記環状区域が眼球の虹彩に対応し、前記第１パターンが、前記環状区域上に形成され、前記第２材料層が、前記第１材料層上に配置され、前記第２パターンが、前記第２材料層上に形成され、そのうち、前記第２パターンが前記第１パターンに重なり、干渉縞が形成されることを特徴とする、請求項７に記載のコンタクトレンズの干渉縞の変化を分析する方法。
【発明の詳細な説明】
【技術分野】
【０００１】
本発明は眼圧（ＩＯＰ）検出技術に関し、特に、中央に干渉縞がないコンタクトレンズ、その干渉縞の変化を分析する方法、及び眼圧変化をモニタリングするシステムに関する。
【背景技術】
【０００２】
眼圧は緑内障の進行を評価するパラメータの１つであり、眼圧の過剰な変化は視神経に損傷を引き起こすことがある。緑内障を早期に発見し、進行を遅らせるための適切な医学的管理を行うことができるように、眼圧の変化を継続的にモニタリングすることが望ましい。
【０００３】
眼圧を測定する最も一般的な方法は、ゴールドマン眼圧計などの接触型圧平眼圧計の使用である。しかしながら、測定に接触型眼圧計を連続的に使用することは負担となり、使用者にとって不便であるため、接触型眼圧計は眼圧の長期的モニタリングには適していない。
【０００４】
眼圧の変化は角膜曲率の変化を生じるため、角膜曲率の変化を測定することで眼圧の変化を取得することができる。角膜曲率は通常次のように取得される。
まず、装置を使用して角膜に縞模様を投影する。続いて、記録装置を使用して角膜表面から反射される像を記録する。最後に、反射された像の中の縞模様の量を分析して角膜曲率を得る。測定の間、使用者の目が適切に配置されるように、使用者の頭部をブラケット上に配置する必要がある。その後、縞模様が角膜区域に投影される。そして計器で縞模様の変化量を記録し、それらを変換して角膜曲率の変化を得る。
しかしながら、このような測定には装置の操作をアシストする専門スタッフが必要であり、かつ操作プロセス中、使用者の頭部が動いて測定エラーを発生しないようにしなければならない。反射法での角膜曲率測定は、微弱な反射像に起因する制限があるため、複雑な計算が必要になることがある。さらに、装置が大きすぎて持ち運びできず、眼圧モニタリング用のポータブルデバイスとしては適していない。
【発明の概要】
【発明が解決しようとする課題】
【０００５】
本発明の目的は、中央に干渉縞がないコンタクトレンズ、その干渉縞の変化を分析する方法、及び眼圧変化をモニタリングするシステムを提供することにある。
【課題を解決するための手段】
【０００６】
一実施態様において、コンタクトレンズは第１材料層と第１パターンを含む。前記第１材料層は中央区域と、前記中央区域周囲の環状区域を有する。前記コンタクトレンズが眼球表面上に配置されたとき、前記中央区域が眼球の瞳孔に対応し、前記環状区域が眼球の虹彩に対応する。前記第１パターンは前記環状区域内に形成され、間隔をあけて配置された複数の第１サブパターンにより構成される。前記第１パターンは第２パターンと重なり、干渉縞を形成するように構成される。
【０００７】
一実施態様において、眼圧変化をモニタリングするシステムは、コンタクトレンズと、検出装置を含む。前記コンタクトレンズは第１材料層と、第１パターンと、第２材料層と、第２パターンを含む。前記第１材料層は中央区域と、前記中央区域周囲の環状区域を有する。前記コンタクトレンズが眼球表面上に配置されたとき、前記中央区域が眼球の瞳孔に対応し、前記環状区域が眼球の虹彩に対応する。前記第１パターンは前記環状区域内に形成され、間隔をあけて配置された複数の第１サブパターンにより構成される。前記第２材料層は前記第１材料層上に配置される。前記第２パターンは前記第２材料層上に形成され、間隔をあけて配置された複数の第２サブパターンにより構成される。前記第２パターンは前記第１パターンと重なり、干渉縞を形成する。前記検出装置は、画像キャプチャユニットと、処理ユニットを含む。前記画像キャプチャユニットは、干渉縞の画像を連続的にキャプチャし、それぞれが干渉縞に対応するモアレ画像区域を有する複数の画像を取得するように構成される。前記処理ユニットは前記画像キャプチャユニットに接続され、取得された画像に基づき干渉縞に対応するモアレ画像区域の周期の変化を分析し、その変化に基づいて眼圧変化を評価するように構成される。
【０００８】
別の一実施態様において、眼圧変化をモニタリングするシステムは、コンタクトレンズと、検出装置を含む。前記コンタクトレンズは第１材料層と第１パターンを含む。前記第１材料層は中央区域と、前記中央区域周囲の環状区域を有する。前記コンタクトレンズが眼球表面上に配置されたとき、前記中央区域が眼球の瞳孔に対応し、前記環状区域が眼球の虹彩に対応する。前記第１パターンは前記環状区域内に形成され、間隔をあけて配置された複数の第１サブパターンにより構成される。前記検出装置は、投影ユニットと、画像キャプチャユニットと、処理ユニットを含む。前記投影ユニットは、前記コンタクトレンズに第２パターンを投影し、前記第２パターンを前記第１パターンに重ねて干渉縞を形成するように構成される。前記第２パターンは、間隔をあけて配置された複数の第２サブパターンにより構成される。前記画像キャプチャユニットは、干渉縞の画像を連続的にキャプチャし、それぞれが干渉縞に対応するモアレ画像区域を有する複数の画像を取得するように構成される。前記処理ユニットは、前記投影ユニットと前記画像キャプチャユニットに接続され、取得された画像に基づき干渉縞に対応するモアレ画像区域の周期の変化を分析し、その変化に基づいて眼圧変化を評価するように構成される。
【０００９】
一実施態様において、コンタクトレンズの干渉縞の変化を分析する方法は、コンタクトレンズ上の干渉縞に対応する複数の画像を受け取る工程と、各画像内の干渉縞に対応するモアレ画像区域の現在の周期を演算する工程と、前記現在の周期に基づき周期変化データを計算する工程と、前記周期変化データに基づき眼圧変化を評価する工程と、を含む。前記画像は前記コンタクトレンズから連続的に取得され、その各画像が干渉縞に対応するモアレ画像区域と、虹彩画像区域を有する。各画像の前記演算工程は、前記虹彩画像区域の中心を見つける工程と、前記虹彩画像区域の中心を通過する複数の候補軸と、前記各候補軸に関して対称である分析ウィンドウを配置し、前記各分析ウィンドウが対応する候補軸によってそれぞれ２つの部分に分割される工程と、前記各分析ウィンドウの２つの部分内の画像情報の差異を計算する工程と、計算で得られた差異のうち最小差異を見つける工程と、前記最小差異に対応する前記候補軸を分析線に設定する工程と、前記分析線に沿って干渉縞に対応する前記モアレ画像区域の現在の周期を計算する工程と、を含む。
【発明の効果】
【００１０】
上述の通り、実施態様によれば、前記コンタクトレンズはその表面の前記環状区域内に干渉縞が出現し、視野（即ち、眼球の瞳孔）に対応する前記中央区域内には干渉縞が出現しないように設計されている。前記コンタクトレンズは使用者の眼球の角膜の曲線を検知し、干渉縞の変化がＩＯＰの変化に直接関連するように構成される。したがって、前記コンタクトレンズは連続したＩＯＰモニタリングのためにそれを装着した使用者の視野透明度に影響せず、対応するＩＯＰの変化を取得するために処理されるデータ量が大幅に減少される。
一部の実施態様によれば、蛍光剤を使用する必要なく使用者の眼球の角膜の変化を正確に測定することができ、角膜の損傷や感染を防ぐことができる。一部の実施態様によれば、コンタクトレンズの構造（例えば、溝や突起）またはパターンのプリント及び本体（即ち、光透過性材料層）が一体的に形成され、前記コンタクトレンズのパターン（即ち、前記第１パターンと前記第２パターン）が眼球に接触しないため、装用時の快適性に影響しない。
【００１１】
以下、詳細な説明を通じて本発明のさらなる適用範囲が明らかになるであろう。しかしながら、詳細な説明及び具体例は本発明の好ましい実施態様を例示的に示すだけのものであると理解されなければならず、当業者であれば以下の詳細な説明から本発明の要旨と範囲を逸脱することなく多様な変化や変更が可能であろう。
【００１２】
本発明は、以下に例示的に示された詳細な説明からより完全に理解されるであろう。従って、以下の説明は本発明を限定しない。
【図面の簡単な説明】
【００１３】
【図１】本発明の実施例１のコンタクトレンズの使用状態を示す概略図である。
【図２】本発明の実施例１のコンタクトレンズの概略図である。
【図３】本発明の実施例１のコンタクトレンズの分解図である。
【図４】本発明の実施例２のコンタクトレンズの概略図である。
【図５】本発明の実施例３のコンタクトレンズの概略図である。
【図６】本発明の実施例３のコンタクトレンズの分解図である。
【図７】本発明の実施例１のパターンを示す概略図である。
【図８】本発明の実施例２のパターンを示す概略図である。
【図９】本発明の実施例３のパターンを示す概略図である。
【図１０】本発明の実施例４のパターンを示す概略図である。
【図１１】本発明の実施例５のパターンを示す概略図である。
【図１２】本発明の実施例６のパターンを示す概略図である。
【図１３】本発明の実施例７のパターンを示す概略図である。
【図１４】本発明の実施例８のパターンを示す概略図である。
【図１５】本発明の実施例９のパターンを示す概略図である。
【図１６】本発明の実施例４のコンタクトレンズの概略図である。
【図１７】本発明の実施例５のコンタクトレンズの概略図である。
【図１８】本発明の実施例６のコンタクトレンズの概略図である。
【図１９】本発明の実施例７のコンタクトレンズの概略図である。
【図２０】本発明の実施例１のサブパターンを示す断面図である。
【図２１】本発明の実施例２のサブパターンを示す断面図である。
【図２２】本発明の実施例３のサブパターンを示す断面図である。
【図２３】本発明の実施例４のサブパターンを示す断面図である。
【図２４】本発明の第１例示タイプのコンタクトレンズの断面図である。
【図２５】本発明の第２例示タイプのコンタクトレンズの断面図である。
【図２６】本発明の第３例示タイプのコンタクトレンズの断面図である。
【図２７】本発明の第４例示タイプのコンタクトレンズの断面図である。
【図２８】本発明の第５例示タイプのコンタクトレンズの断面図である。
【図２９】模擬した干渉縞を示す概略図である。
【図３０】本発明の実施例１の検出装置のブロック図である。
【図３１】本発明の実施例２の検出装置のブロック図である。
【図３２】本発明の実施例１のコンタクトレンズの干渉縞変化分析方法のフロー図である。
【図３３】実施例１の工程Ｓ４０のフロー図である。
【図３４】実施例１の工程Ｓ４１０のフロー図である。
【図３５】一実施例の工程Ｓ４１０の概略図である。
【図３６】４５回回転後の処理後画像を示す概略図である。
【図３７】本発明の実施例１の眼圧変化をモニタリングするシステムの使用状態を示す概略図である。
【図３８】本発明の実施例２の眼圧変化をモニタリングするシステムの使用状態を示す概略図である。
【発明を実施するための形態】
【００１４】
図１〜図３に示すように、本発明の中央に干渉縞がないコンタクトレンズ（以下、コンタクトレンズ１０という）は、眼圧（ＩＯＰ）の変化を検出するために用いられる。前記コンタクトレンズ１０は、第１材料層１１０と、パターン（以下、第１パターン１３０という）を含む。そのうち、前記第１材料層１１０は光透過性材料で成る。前記第１材料層１１０はハードコンタクトレンズ材料またはソフトコンタクトレンズ材料とすることができる。前記第１パターン１３０は、間隔をあけて配置された複数のサブパターン（以下、第１サブパターンという）で形成される。
【００１５】
前記コンタクトレンズ１０の表面を上から見ると、前記コンタクトレンズ１０は中央区域Ａｃと、前記中央区域Ａｃ周囲の環状区域Ａａを有する。前記コンタクトレンズ１０が使用者の眼球３０表面上に配置されたとき、前記中央区域Ａｃが眼球３０の瞳孔に対応し、前記環状区域Ａａが眼球３０の虹彩に対応する。つまり、前記中央区域Ａｃが眼球３０の瞳孔を覆い、前記環状区域Ａａが眼球３０の虹彩を覆う。
【００１６】
一部の実施態様において、前記コンタクトレンズ１０が通常通り使用者の眼球３０に装着されたとき、前記環状区域Ａａ全体が眼球３０の虹彩上に配置される。別の一部の実施態様において、前記コンタクトレンズ１０が通常通り使用者の眼球３０に装着されたとき、前記環状区域Ａａの一部が眼球３０の虹彩上に配置され、前記環状区域Ａａの別の一部が眼球３０の強膜上に配置される。
【００１７】
例えば、前記コンタクトレンズ１０は２つの区域（即ち、前記中央区域Ａｃと前記環状区域Ａａ、図４参照）、または３つの区域（即ち、前記中央区域Ａｃ、前記環状区域Ａａ、及び前記環状区域Ａａ周囲の周縁区域Ａｐ、図２）に分割されてもよい。
【００１８】
一部の実施態様において、前記コンタクトレンズ１０が通常通り使用者の眼球３０に装着されたとき、前記環状区域Ａａは眼球３０の瞳孔を被覆しない。
【００１９】
一部の実施態様において、前記中央区域Ａｃの大きさは眼球３０の瞳孔の大きさに等しい、またはこれより大きい。一実施例において、前記中央区域Ａｃは眼球３０の瞳孔全体を被覆してもよい。別の一実施例において、前記中央区域Ａｃは眼球３０の瞳孔全体と、眼球３０の瞳孔付近の虹彩の一部を被覆してもよい。
【００２０】
前記第１材料層１１０は、前記コンタクトレンズ１０と同じ区域分布を有する。つまり、前記第１材料層１１０は前記中央区域Ａｃと、前記中央区域Ａｃ周囲の前記環状区域Ａａを有する。
【００２１】
前記第１パターン１３０は前記第１材料層１１０上に形成される。前記第１パターン１３０が別のパターン（以下、第２パターン１３２という）と重なるとき、干渉縞が形成される。前記第２パターン１３２も、間隔をあけて配置された複数のサブパターン（以下、第２サブパターンという）で形成される。
【００２２】
一部の実施態様において、図５、図６に示すように、前記第２パターン１３２は前記第２材料層１２０上に形成され、前記第２材料層１２０は前記第１材料層１１０上に配置される。そのうち、前記第２材料層１２０は光透過性材料で成る。前記第２材料層１２０はハードコンタクトレンズ材料またはソフトコンタクトレンズ材料とすることができる。
【００２３】
一部の実施態様において、図２、図３に示すように、前記第２パターン１３２は投影ユニット（図示しない）によって前記第１材料層１１０上に投影される。
【００２４】
一部の実施態様において、前記干渉縞は前記第１パターン１３０と前記第２パターン１３２の重なり合った模様である。別の一部の実施態様において、前記干渉縞は、前記第２材料層１２０の一表面上に、前記第２材料層１２０の別の表面上の前記第２パターン１３２を通過して成像された第１パターン１３０の画像である。
【００２５】
前述の各パターン１３（即ち、任意の前記第１パターン１３０及び前記第２パターン１３２）は、間隔をあけて配置された複数のサブパターン１３ａ、１３ｂ、１３ｃ、１３ｄ、１３ｅ（即ち、前記第１サブパターンまたは前記第２サブパターン）で形成される。
【００２６】
一部の実施態様において、パターン１３の前記サブパターン１３ａ、１３ｂ、１３ｃ、１３ｄ、１３ｅは、間隔をあけて配置された直線（またはストライプ）（図７、図８参照）、間隔をあけて配置された点（図９参照）、間隔をあけて配置された円（図１０〜図１５参照）、間隔をあけて配置された楕円、間隔をあけて配置された三角形、間隔をあけて配置された矩形、または間隔をあけて配置された任意の多角形とすることができる。
【００２７】
一部の実施態様において、前記第１パターン１３０と前記第２パターン１３２は、位置をずらせた同一のパターンである。例えば、一実施例において、図４に示すように、前記第１パターン１３０と前記第２パターン１３２はいずれも同心円であり、前記第１パターン１３０の円の中心と、前記第２パターン１３２の円の中心が異なる位置にある。
別の一実施例において、図２に示すように、前記第１パターン１３０と前記第２パターン１３２はいずれも直線であり、前記第１パターン１３０の延伸方向と前記第２パターン１３２の延伸方向が異なる。そのうち、同一パターン（前記第１パターン１３０と前記第２パターン１３２）は同じ数のサブパターンを有する（図４参照）、または異なる数のサブパターンを有する（図１６参照）。
【００２８】
別の一部の実施態様において、図１７〜図１９に示すように、前記第１パターン１３０と前記第２パターン１３２は形状、間隔、またはそれらの組み合わせにおいて異なるパターンである。
【００２９】
一部の実施態様において、図２０、図２１に示すように、同一パターン１３で、前記サブパターン  １３ａ、１３ｂ、１３ｃ、１３ｄ、１３ｅは、光透過性材料層１１（即ち、任意の前記第１材料層１１０及び前記第２材料層１２０）の表面上に形成された溝である。そのうち、各溝の底部は平坦な表面（図２０参照）または円弧表面（図２１参照）である。つまり、パターン１３は溝によって肉眼的に表される。そのうち、円弧表面を有する前記溝は、凸面レンズまたは凹面レンズとして作用する。特定の実施態様において、前記第１パターン１３０の各溝の底部は平坦な表面である。
【００３０】
別の一部の実施態様において、図２２に示すように、同一パターン１３で、前記サブパターン  １３ａ、１３ｂ、１３ｃ、１３ｄ、１３ｅは、光透過性材料層１１（即ち、任意の前記第１材料層１１０及び前記第２材料層１２０）の表面上に形成された突起である。つまり、パターン１３は突起によって肉眼的に表される。そのうち、前記突起は、凸面レンズまたは凹面レンズとして作用する。
【００３１】
さらに別の一部の実施態様において、図２３に示すように、同一パターン１３で、前記サブパターン  １３ａ、１３ｂ、１３ｃ、１３ｄ、１３ｅは、光透過性材料層１１（即ち、任意の前記第１材料層１１０及び前記第２材料層１２０）の表面上に適用された、または印刷された、プリントである。つまり、前記パターン１３の前記サブパターン１３ａ、１３ｂ、１３ｃ、１３ｄ、１３ｅは、顔料や染料などのプリントである。
【００３２】
一部の実施態様において、前記第１パターン１３０の前記第１サブパターンのタイプと、前記第２パターン１３２の前記第２サブパターンのタイプは同じであり、例えば、いずれも同じ底部表面を有する溝（図２４参照）、いずれも突起（図２５参照）、またはいずれもプリント（図示しない）とすることができる。
【００３３】
別の一部の実施態様において、前記第１パターン１３０の前記第１サブパターンのタイプと、前記第２パターン１３２の前記第２サブパターンのタイプは異なる。例えば、一実施例において、前記第１パターン１３０の前記第１サブパターンと、前記第２パターン１３２の前記第２サブパターンは、図２６に示すように、異なる底部表面を有する溝である。別の一実施例において、図２７に示すように、前記第１パターン１３０の前記第１サブパターンと、前記第２パターン１３２の前記第２サブパターンは、溝と突起である。
さらに別の一実施例において、図２８に示すように、前記第１パターン１３０の前記第１サブパターンと、前記第２パターン１３２の前記第２サブパターンは、溝とプリントである。また別の一実施例において、前記第１パターン１３０の前記第１サブパターンと、前記第２パターン１３２の前記第２サブパターンは、溝と投影画像（図示しない）である。
【００３４】
一部の実施態様において、同じパターン１３で、前記サブパターン  １３ａ、１３ｂ、１３ｃ、１３ｄ、１３ｅ間の間隔は、図７、図９、図１０、図１３、図１５に示すように、同じである。別の一部の実施態様において、同じパターン１３で、前記サブパターン  １３ａ、１３ｂ、１３ｃ、１３ｄ、１３ｅ間の間隔は異なり（図８、図１１、図１２、図１４参照）、例えば徐々に狭くなる、またはランダムに変化する。
【００３５】
図２４〜図２８に示すように、一部の実施態様において、前記第１材料層１１０は２つの表面（以下、第１表面１１０ａと第２表面１１０ｂという）を有するとき、前記第１表面１１０ａと前記第２表面１１０ｂは向かい合っている。一部の実施態様において、前記第１パターン１３０は、前記第２表面１１０ｂの環状区域Ａａ内に形成される。また、使用者が前記コンタクトレンズ１０を装着すると、前記第１表面１１０ａが使用者の眼球に接触する。
【００３６】
一部の実施態様において、前記コンタクトレンズ１０は第２材料層１２０を備え、前記第２材料層１２０は前記第１材料層１１０に連接される。例えば、前記第２材料層１２０の端部が前記第１材料層１１０の端部に結合される。
【００３７】
ここで、前記第２材料層１２０は２つの表面（以下、第１表面１２０ａと第２表面１２０ｂという）を有するとき、前記第１表面１２０ａと前記第２表面１２０ｂは向かい合っている。前記第２材料層１２０の前記第１表面１２０ａは、前記第１材料層１１０の前記第２表面１１０ｂに連接される。一部の実施態様において、前記第２パターン１３２は前記第１表面１２０ａ内に形成される。
【００３８】
前記第２材料層１２０は、前記コンタクトレンズ１０と同じ区域分布を有する。つまり、前記第２材料層１２０は前記中央区域Ａｃと、前記中央区域Ａｃ周囲の前記環状区域Ａａを有する。一部の実施態様において、前記第２パターン１３２は、前記第１表面１２０ａの前記環状区域Ａａ内に形成される。
【００３９】
一部の実施態様において、緩衝層（図示しない）が前記第１材料層１１０と前記第２材料層１２０の間に挟みこまれる。前記緩衝層は、油、ヒドロゲル、ホウ酸緩衝液、またはリン酸緩衝液などの生体適合性を備えた溶液、または空気とすることができる。
【００４０】
一部の実施態様において、前記コンタクトレンズ１０が前記第２材料層１２０を有さない（つまり、前記第２パターン１３２が投影画像である）場合、前記コンタクトレンズ１０はさらに平面層（図示しない）を含み、前記平面層は前記第１材料層１１０の前記第２表面１１０ｂ上に配置される。
【００４１】
ここで、前記コンタクトレンズ１０は曲率を有し、使用者が前記コンタクトレンズ１０を装着したとき、前記第１材料層１１０が使用者の眼球に密着される。したがって、前記第１材料層１１０の曲率は角膜曲率の変化に応じて変化し、前記第１パターン１３０の周期がそれに従って変化され、干渉縞の周期もまた変化される。
【００４２】
模擬例において、前記第１パターン１３０と前記第２パターン１３２はいずれも図１０に示すパターン１３であり、前記第１パターン１３０と前記第２パターン１３２間にはずれがある。その結果、図２９に示す干渉縞が取得される。
【００４３】
一部の実施態様において、図３０、図３１に示すように、前記コンタクトレンズ１０は検出装置２０と組み合わせて使用することができ、使用者が前記コンタクトレンズ１０を装着したとき検出装置２０でモニタリングして長期的かつリアルタイムの眼圧モニタリングを実行することができる。
【００４４】
前記コンタクトレンズ１０が前記第１パターン１３０と前記第２パターン１３２を有する場合、図３０に示すように、前記検出装置２０は画像キャプチャユニット２１と処理ユニット２３を含む。前記画像キャプチャユニット２１は前記処理ユニット２３に電気的に接続される。
【００４５】
前記コンタクトレンズ１０が前記第１パターン１３０を有するが、前記第２パターン１３２を有さない場合、図３１に示すように、前記検出装置２０は画像キャプチャユニット２１と、処理ユニット２３と、投影ユニット２７を含む。前記画像キャプチャユニット２１は前記処理ユニット２３に電気的に接続され、前記投影ユニット２７は前記処理ユニット２３に電気的に接続される。
前記投影ユニット２７の制御下で、前記検出装置２０で使用者の眼圧変化をモニタリングするとき、前記投影ユニット２７は前記第２パターン１３２を前記コンタクトレンズ１０上に投影する。前記投影ユニット２７により投影された前記第２パターン１３２が前記コンタクトレンズ１０の前記第１パターン１３０に重なり、干渉縞が形成される。
【００４６】
モニタリング手順については、図３０〜図３２に示すように、前記画像キャプチャユニット２１が時間間隔に基づいて前記コンタクトレンズ１０上の干渉縞の画像を連続的にキャプチャし、前記コンタクトレンズ１０上の干渉縞に対応する複数の画像を連続的に取得する（工程Ｓ３０）。そして前記処理ユニット２３がキャプチャされた画像を前記画像キャプチャユニット２１から受け取る。そのうち、各キャプチャされた画像は、干渉縞を示すモアレ画像区域と、眼球３０の虹彩を示す虹彩画像区域を有する。
【００４７】
その後、前記処理ユニット２３がキャプチャされた画像に基づいて干渉縞に対応する前記モアレ画像区域の周期の変化を分析し、周期変化データを取得する（工程Ｓ４０）。そして、前記処理ユニット２３が前記周期変化データに基づいて眼圧変化を評価する（工程Ｓ５０）。
【００４８】
Ｓ４０の一部の実施態様において、図３０〜図３３に示すように、前記処理ユニット２３は各画像内の干渉縞に対応するモアレ画像区域の現在の周期を演算し（工程Ｓ４１０）、前記現在の周期に基づき周期変化データを計算して変化の変化を分析する（工程Ｓ４３０）。
【００４９】
Ｓ４１０の一部の実施態様において、図３０〜図３４に示すように、前記処理ユニット２３は各画像を処理し、処理された画像内の前記モアレ画像区域の現在の周期を取得する。各画像について、前記処理ユニット２３は前記処理された画像の前記虹彩画像区域の中心を見つけ（工程Ｓ４１１）、前記処理された画像上に、前記虹彩画像区域の中心を通過する複数の候補軸と、前記各候補軸に関して対称である分析ウィンドウを配置する（工程Ｓ４１２）。
そのうち、前記各分析ウィンドウが対応する候補軸によってそれぞれ２つの部分に分割される。その後、前記処理ユニット２３が前記各分析ウィンドウの２つの部分内の画像情報の差異を計算し（工程Ｓ４１３）、計算で得られた差異のうち最小差異を見つける（工程Ｓ４１４）。工程Ｓ４１４の後、前記処理ユニット２３が前記最小差異に対応する前記候補軸を分析線に設定し（工程Ｓ４１５）、前記分析線に沿って前記処理された画像内の前記モアレ画像区域の現在の周期を計算する（工程Ｓ４１６）。
【００５０】
例えば、図３５に示すように、前記画像キャプチャユニット２１が前記コンタクトレンズ１０上の干渉縞の画像をキャプチャして、干渉縞を示すモアレ画像区域Ｐｍと、眼球３０の虹彩を示す虹彩画像区域Ｐｉを備えたキャプチャ画像ＩＭを取得する。前記処理ユニット２３が、前記キャプチャ画像ＩＭ上の前記虹彩画像区域Ｐｉの中心を通過する１つの候補軸Ｌを形成し、前記キャプチャ画像ＩＭ上に形成された前記候補軸Ｌに関して対称である分析ウィンドウＷＤを形成する。
前記分析ウィンドウＷＤは、前記候補軸Ｌによって２つの部分Ｄ１、Ｄ２に分割される。前記処理ユニット２３は、前記分析ウィンドウＷＤの１つの部分内の前記キャプチャ画像ＩＭの画像情報を、前記分析ウィンドウＷＤのもう１つの部分内の前記キャプチャ画像ＩＭの画像情報から引いて、画像情報の差異を取得する。画像情報の前記差異は結果的な強度（ｉｎｔｅｎｓｉｔｙ）であってもよい。
【００５１】
前記処理ユニット２３は、形成された分析ウィンドウＷＤと形成された候補軸Ｌの組み合わせを、キャプチャ画像ＩＭに関して前記虹彩画像区域Ｐｉの中心周囲を複数回連続して回転させ、各回転後に前述の工程を実行し、異なる合計回転角度下の画像情報の差異を取得する。合計回転角度は０度から１８０度である。例えば、回転角度単位が１度で、回転回数が４５の場合、合計回転角度は４５度となり、分析ウィンドウＷＤと候補軸Ｌを有するキャプチャ画像ＩＭを図３６に示す。
【００５２】
一部の実施態様において、前記キャプチャ画像ＩＭはフーリエドメインで空間周波数解析のために変換し、干渉縞に対応する前記モアレ画像区域Ｐｍの現在の周期を取得してもよい。
【００５３】
一部の実施態様において、前記検出装置２０はさらに、ストレージユニット２５を含むことができる。前記ストレージユニット２５は前記処理ユニット２３に電気的に接続される。
【００５４】
前記ストレージユニット２５にはモニタリング手順のためのデータ情報が保存される。
【００５５】
一部の実施態様において、前記データ情報は、前記周期変化データと眼圧変化の間の対応を含むことができる。そして、前記処理ユニット２３は保存された前記データ情報に基づいて、計算された各周期変化データを眼圧変化に変換することができる。
【００５６】
一部の実施態様において、前記ストレージユニット２５にはさらに閾値を保存することができる。そして、前記処理ユニット２３は前記閾値と眼圧変化に基づいて、使用者の眼圧変化が正常か否かを判定することができる。
【００５７】
一部の実施態様において、干渉縞に対応する前記モアレ画像区域Ｐｍの初期周期を前記ストレージユニット２５に予め保存することができる。そして、前記処理ユニット２３は現在の周期と前記初期周期に基づいて周期変化データを計算することができる。
【００５８】
一部の実施態様において、前記コンタクトレンズ１０が前記第１パターン１３０を有するが、前記第２パターン１３２を有さない場合、前記第２パターン１３２を前記ストレージユニット２５に保存することができる。前記検出装置２０が使用者の眼圧変化をモニタリングするとき、前記処理ユニット２３が前記ストレージユニット２５から前記第２パターン１３２を読み出し、前記投影ユニット２７を制御して前記第２パターン１３２を投影させる。
【００５９】
一部の実施態様において、前記検出装置２０はさらに、光源２２を含むことができる。前記光源２２は前記処理ユニット２３に電気的に接続される。前記光源２２は干渉縞に充分な輝度を提供し、前記画像キャプチャユニット２１の画像キャプチャを促進することができる。
【００６０】
一部の実施態様において、図３０、図３１、図３７、図３８に示すように、前記検出装置２０はさらに、担体２９を含むことができる。前記担体２９は眼鏡として形成してもよい。モニタリング手順を実行するために、使用者５０は前記担体２９と前記コンタクトレンズ１０を同時に装着し、いつでもどこでも使用者５０の眼圧変化の長期モニタリングを達成することができるようにすることができる。
【００６１】
前記処理ユニット２３と前記ストレージユニットは前記担体２９内に配置することができる。前記画像キャプチャユニット２１は前記担体２９の内側に組み込まれる。
【００６２】
例えば、前記担体２９は眼鏡であり、前記眼鏡が２つのレンズフレーム２９１と、ブリッジ２９３と、２つのテンプル２９５を含む。前記２つのレンズフレーム２９１の外側端部の第１側に前記ブリッジ２９３の二端がそれぞれ連結され、前記２つのレンズフレーム２９１の外側端部の第２側に前記２つのテンプル２９５の一端がそれぞれ連結される。さらに、使用者５０が前記眼鏡を装着したとき、各テンプル２９５の他端が使用者５０に向かって延伸される。前記各レンズフレーム  ２９１の外側端部の第１端は、外側端部の第２端の反対側である。ここで、各レンズフレーム２９１の内側端部とは一般にレンズを取り付ける端部を指し、外側端部とは内側端部の反対側である。
【００６３】
前記画像キャプチャユニット２３は前記  レンズフレーム２９１の内側、つまり前記レンズフレーム２９が前記テンプル２９５に向かって延伸される側に組み込まれる。さらに、使用者５０が眼鏡を装着したとき、前記画像キャプチャユニット２３のキャプチャ用レンズが使用者５０の眼球３０の虹彩、使用者５０の眼球３０の瞳孔、またはそれらの組み合わせに対面する。
【００６４】
前記検出装置２０が投影装置２７を備えている場合、前記投影装置２７は前記画像キャプチャユニット２３とほぼ同じ様な配置方法で、前記担体２９上に配置され、前記投影装置２７が前記第２パターン１３２を前記コンタクトレンズ１０の光学区域１１２内の前記第１パターン１３０上に投影することができる。
【００６５】
前記検出装置２０が光源２２を備えている場合、前記光源２２は前記画像キャプチャユニット２３とほぼ同じ様な配置方法で、前記担体２９上に配置され、前記光源２２が前記画像キャプチャユニット２３による画像キャプチャに必要な光線を提供することができる。
【００６６】
上述の通り、実施態様によれば、前記コンタクトレンズ１０はその表面の前記環状区域内に干渉縞が出現し、視野（即ち、眼球３０の瞳孔）に対応する前記中央区域内には干渉縞が出現しないように設計されている。前記コンタクトレンズ１０は使用者５０の眼球３０の角膜の曲線を検知し、干渉縞の変化がＩＯＰの変化に直接関連するように構成される。したがって、前記コンタクトレンズ１０は連続したＩＯＰモニタリングのためにそれを装着した使用者５０の視野透明度に影響せず、対応するＩＯＰの変化を取得するために処理されるデータ量が大幅に減少される。
一部の実施態様によれば、蛍光剤を点眼する必要なく使用者５０の眼球３０の角膜の変化を正確に測定することができ、角膜の損傷や感染を防ぐことができる。一部の実施態様によれば、コンタクトレンズ１０の構造（例えば、溝や突起）またはパターンのプリント及び本体（即ち、光透過性材料層）が一体的に形成され、前記コンタクトレンズ１０のパターン（即ち、前記第１パターン１３０と前記第２パターン１３２）が眼球に接触しないため、装用時の快適性に影響しない。
【００６７】
以上のように本発明について説明したが、本発明はさまざまな変化が可能であることは明白である。それらの変化は本発明の要旨と範囲を逸脱しないと見なされ、当業者であれば明白であろうそれらの変更はすべて本発明の特許請求の範囲内に含まれる。
【符号の説明】
【００６８】
１０  コンタクトレンズ
１１０  第１材料層
１１０ａ、１２０ａ  第１表面
１１０ｂ、１２０ｂ  第２表面
１１２  光学区域
１２０  第２材料層
１３０  第１パターン
１３ａ、１３ｂ、１３ｃ、１３ｄ、１３ｅ  サブパターン
１３２  第２パターン
２０  検出装置
２１  画像キャプチャユニット
２２  光源
２３  処理ユニット
２５  ストレージユニット
２７  投影ユニット
２９  担体
２９１  レンズフレーム
２９３  ブリッジ
２９５  テンプル
Ａｃ  中央区域
Ａａ  環状区域
Ａｐ  周縁区域
ＷＤ  分析ウィンドウ
Ｌ  候補軸
ＩＭ  キャプチャ画像
Ｐｍ  モアレ画像区域
Ｐｉ  虹彩画像区域
３０  眼球
５０  使用者
Ｓ３０  コンタクトレンズ上の干渉縞の画像を連続的に取得する工程
Ｓ４０  キャプチャされた画像に基づいて干渉縞に対応するモアレ画像区域の周期の変化を分析し、周期変化データを取得する工程
Ｓ５０  周期変化データに基づいて眼圧変化を評価する工程
Ｓ４１０  各画像内の干渉縞に対応するモアレ画像区域の現在の周期を演算する工程
Ｓ４３０  現在の周期に基づき周期変化データを計算して変化の変化を分析する工程
Ｓ４１１  処理された画像の虹彩画像区域の中心を見つける工程
Ｓ４１２  処理された画像上に、虹彩画像区域の中心を通過する複数の候補軸と各候補軸に関して対称である分析ウィンドウを配置する工程
Ｓ４１３  各分析ウィンドウの２つの部分内の画像情報の差異を計算する工程
Ｓ４１４  計算で得られた差異のうち最小差異を見つける工程
Ｓ４１５  最小差異に対応する前記候補軸を分析線に設定する工程
Ｓ４１６  分析線に沿ってモアレ画像区域の現在の周期を計算する工程
【図１】
0006674965.tif 000002
【図２】
0006674965.tif 000003
【図３】
0006674965.tif 000004
【図４】
0006674965.tif 000005
【図５】
0006674965.tif 000006
【図６】
0006674965.tif 000007
【図７】
0006674965.tif 000008
【図８】
0006674965.tif 000009
【図９】
0006674965.tif 000010
【図１０】
0006674965.tif 000011
【図１１】
0006674965.tif 000012
【図１２】
0006674965.tif 000013
【図１３】
0006674965.tif 000014
【図１４】
0006674965.tif 000015
【図１５】
0006674965.tif 000016
【図１６】
0006674965.tif 000017
【図１７】
0006674965.tif 000018
【図１８】
0006674965.tif 000019
【図１９】
0006674965.tif 000020
【図２０】
0006674965.tif 000021
【図２１】
0006674965.tif 000022
【図２２】
0006674965.tif 000023
【図２３】
0006674965.tif 000024
【図２４】
0006674965.tif 000025
【図２５】
0006674965.tif 000026
【図２６】
0006674965.tif 000027
【図２７】
0006674965.tif 000028
【図２８】
0006674965.tif 000029
【図２９】
0006674965.tif 000030
【図３０】
0006674965.tif 000031
【図３１】
0006674965.tif 000032
【図３２】
0006674965.tif 000033
【図３３】
0006674965.tif 000034
【図３４】
0006674965.tif 000035
【図３５】
0006674965.tif 000036
【図３６】
0006674965.tif 000037
【図３７】
0006674965.tif 000038
【図３８】
0006674965.tif 000039